(57)【要約】【課題】コンクリート造・内外打放し仕上に最適で、しかも、施工コストの低減、迅速な施工という要求も解決するコンクリート壁の成型方法及びコンクリート壁成形型枠構造体を提供する。【解決手段】一回のコンクリート打設で断熱材内蔵する内外打放しのＲＣ構造を形成できる「中間断熱及び連結機能複合板」と「RC内外打放し・壁体内断熱工法」にある。本発明が考えるRC壁の構成は3層からなる。それらを便宜上、屋外側のRC外装壁（A）、中間断熱及び連結機能複合板（B）、屋内側のRC構造壁（C）と呼ぶ。ここでAは、BやCを保護する役割を果たし、具体的には耐火性、耐熱性、耐水性、耐傷性、耐候性、コンクリートそのものの美観性を有する。【選択図】図１
2008291583.tif 000002
【特許請求の範囲】
【請求項１】
間隔保持材で、所定の間隔に保持された型枠の間に、コンクリートを打設して壁を成形するコンクリート壁の成形方法において、
第１の型枠と断熱材を一体化した断熱・連結機能複合板を準備する工程と、
該断熱・連結機能複合板と対向する両側に、間隔保持材と連結材を用いて、所定の間隔に、第２の型枠と第３の型枠を保持固定する工程と、
該断熱・連結機能複合板の断熱材と該第２の型枠の間及び該断熱・連結機能複合板の該第の１の型枠と該第の３型枠の間に、コンクリートを打設する工程と、
前記第２の型枠及び前記第３の型枠を取り除く工程を有することを特徴とするコンクリート壁の成形方法。
【請求項２】
上記コンクリートの打設は、同時に打設することを特徴とする請求項１記載のコンクリート壁の成形方法。
【請求項３】
第１の型枠と断熱材を一体とした断熱・連結機能複合板と、
該断熱・連結機能複合板に配置された連結材と、
該連結材に接合され、該断熱・連結機能複合板と第２の型枠及び第３の型枠を、所定間隔に、固定保持する間隔保持材と、
該間隔保持材により、該断熱・連結機能複合板と所定間隔に固定保持された第２及び第３の型枠とを有することを特徴とするコンクリート壁成形型枠構造体。
【請求項４】
上記断熱・連結機能複合板は、壁体内中間断熱材として用いることを特徴とする請求項３記載のコンクリート壁成形型枠構造体。
【請求項５】
該断熱・連結機能複合板は、予め、第１の型枠に断熱材が一体化されていることを特徴とする請求項３または４記載のコンクリート壁成形型枠構造体。
【請求項６】
上記連結材は、間隔保持材と接合した際に、上記断熱・連結機能複合板を押圧する押圧部を有することを特徴とする請求項３ないしは５いずれか１項に記載のコンクリート壁成形型枠構造体。
【請求項７】
間隔保持材の両端には、締付金具が取り付けてあることを特徴とする請求項３ないしは５いずれか１項に記載のコンクリート壁成形型枠構造体。
【請求項８】
上記コンクリート壁成形型枠構造体により形成された壁体内中間断熱層を有する内外打放し仕上コンクリート壁構造体。
【発明の詳細な説明】
【技術分野】
【０００１】
本発明は、コンクリート造・内外打放し仕上・壁体内断熱工法と断熱及び連結機能複合板に関する。
【背景技術】
【０００２】
昨今、 RC造（「鉄筋コンクリート造」の略称）の建築物が、大規模建築物のみならず、広く一般の小規模住宅にまで普及するようになった。RC造の建築は、そのファッション性のみならず、優れた耐震性や耐火性を有しており、そのことが個人資産の価値を保有していくうえで適切と判断されている所以である。さらに、シンプルなデザインを求める時代の趨勢として、RC造のなかでもとりわけ、外壁のみならず内壁においても「打放し」の仕上げ仕様を指向する傾向が大きくなってきた。
【０００３】
しかしその一方で、内外壁ともにRC打放し仕上げとする場合、きまって「断熱」の問題が欠点とされてきた。その欠点が認識されているにもかかわらず、内外RC打放し仕上げの建物の場合、断熱材を入れたくても施工法上手間がかかりコスト高になるためなかなか入れられないという事態は改善されることなく今日に至っている。その結果、内外RC打放しの仕様を導入した時点で、「夏は暑く、冬は寒く、特に冬季には屋内側RC面に結露被害のリスクを抱える建物」を受け入れざるをえないのであり、それが建設業界においても常識となっているのである。
【０００４】
従来、RC構造壁に断熱材を施す場合、「壁体の外側をRC打放し壁とし、内側に断熱材を設け、それを内装材で化粧する」か、さもなければ、「内側を打放しにし、外側に断熱材を設け、それを外装材で化粧する」か、原理的にはそのいずれかのパターンしかなかった。そこで、以下のような方法が提案されている。
【０００５】
（１）従来技術１
特許文献１の代表図面によれば、従来技術１は、「発泡樹脂パネル１の室内面に径大の円形にして浅く掘り込み形成した多数の集湿スペース１１を配置するとともにこれらの集湿スペース１１に発泡樹脂パネル１の室外側に連通する単一又は複数の放湿孔１２を配置し，この室内面をコンクリート躯体２の壁面に面接するように設置してＲＣ構造の外断熱を行なう。集湿スペース１１が１次的にコンクリート躯体２の湿気を広範囲に集湿し，２次的に放湿孔１２によって発泡樹脂パネル１の室外側に放湿するようになって，外断熱パネル１を使用することが可能となる。放湿孔１２の径を５ｍｍ以下，好ましくは３ｍｍ以下とすることによって放湿孔１２の通気抵抗を大きくして放湿孔１２設置による断熱性能の低下を防止できる。」放湿性外断熱パネル及びこれを用いた外断熱建造物を、開示している。（特許文献１）
【０００６】
（２）従来技術２
特許文献２の代表図面によれば、従来技術２は。「表面保護フィルム２９が室内側表面に貼付された表面材２７と断熱材２３とを備えた断熱パネル２１を用意し、かかる断熱パネルを所望の大きさに切断して、施工位置に配置する。次に、表面材と当接するように室内側コンパネ３５を配置すると共に、断熱材と間隔を保持して室外側コンパネ３７を配置し、室内側及び室外側コンパネの外側に縦ばた３９、横ばた４１などを配置する。室外側コンパネと断熱材との間にコンクリート４５を打ち込み、固化した後に、コンパネ等を除去し、表面保護フィルムを表面材から除去して、内断熱複合壁４７を得る。」コンクリート同時打ち込みによる内断熱複合壁の施工方法を、開示している。（特許文献２）
【０００７】
（３）従来技術３
特許文献３の代表図面によれば、従来技術３は、「間隔保持具３により固定された１対の型枠の間にコンクリートを打設して第１コンクリート壁１０を形成する。その壁面に露出した間隔保持具３の一端にさらに間隔保持具４の一端を固定し、断熱材１４を形成するとともに、間隔保持具４の他端に型枠１ｃを固定する。型枠１ｃと断熱材１４との間にコンクリートを打設する。」断熱二重コンクリート壁の成形方法を、開示している。（特許文献３）
【０００８】
【特許文献１】特開２００６−１０４７４５号公報
【特許文献２】特開２００４−１０７９４２号公報
【特許文献３】特許第２９５２２１４号公報
【発明の開示】
【発明が解決しようとする課題】
【０００９】
しかし、これらの従来の方法では、なお、以下のような課題があり、コンクリート造・内外打放し仕上には、不充分であった。
（１）   特許文献１に開示する従来技術
外装材を用いるため、内外打放し仕上げには向いていない。
【００１０】
（２）   特許文献２に開示する従来技術
内装材を用いるため、内外打放し仕上げには向いていない。
【００１１】
（３）特許文献３に関する従来技術
施工現場に応じて、断熱材と間隔保持具を、その都度、開発・設計する必要があるので、汎用性がない。
断熱材を介在させた第1のコンクリート壁１０と第２のコンクリート壁１１とを同時に成形できることを開示しているが、実際は、断熱版１５の変形のため、あるいは、断熱板に多数配置された変形防止プレート１９のため、コンクリートの均等な注入が阻害されて、同時打設は困難である。
【００１２】
本発明は、上記課題を解決して、しかも、施工コストの低減、迅速な施工という要求も解決する。
【課題を解決するための手段】
【００１３】
そこで、本発明者は、上記課題を解決するため、鋭意研究した結果、以下のように、本発明を構成することで、内外壁ともに打放し仕上げのＲＣ造建築物で、断熱性を十分に確保でき、しかも施工コストをできるかぎり廉価に押さえ、迅速に施工することのできる新工法を発案するに至った。
【００１４】
本発明の構成は以下の通りである。
（１）請求項１に係る発明
間隔保持材で、所定の間隔に保持された型枠の間に、コンクリートを打設して壁を成形するコンクリート壁の成形方法において、第１の型枠と断熱材を一体化した断熱・連結機能複合板を準備する工程と、
該断熱・連結機能複合板と対向する両側に、間隔保持材と連結材を用いて、所定の間隔に、第２の型枠と第３の型枠を保持固定する工程と、該断熱・連結機能複合板の断熱材と該第２の型枠の間及び該断熱・連結機能複合板の該第の１の型枠と該第の３型枠の間に、コンクリートを打設する工程と、前記第２の型枠及び前記第３の型枠を取り除く工程を有することを特徴とするコンクリート壁の成形方法。
【００１５】
（２）  
請求項２ に係る発明
上記コンクリートの打設は、同時に打設することを特徴とする請求項１記載のコンクリート壁の成形方法。
【００１６】
（３）  
請求項３に係る発明
第１の型枠と断熱材を一体とした断熱・連結機能複合板と、該断熱・連結機能複合板に配置された連結材と、該連結材に接合され、該断熱・連結機能複合板と第２の型枠及び第３の型枠を、所定間隔に、固定保持する間隔保持材と、該間隔保持材により、該断熱・連結機能複合板と所定間隔に固定保持された第２及び第３の型枠とを有することを特徴とするコンクリート壁成形型枠構造体。
【００１７】
（４）請求項４に係る発明
上記断熱・連結機能複合板は、壁体内中間断熱材として用いることを特徴とする請求項３記載のコンクリート壁成形型枠構造体。
【００１８】
（５）請求項５に係る発明
該断熱・連結機能複合板は、予め、第１の型枠に断熱材が一体化されていることを特徴とする請求項３または４記載のコンクリート壁成形型枠構造体。
【００１９】
（６）請求項６に係る発明
上記連結材は、間隔保持材と接合した際に、上記断熱・連結機能複合板を押圧する押圧部を有することを特徴とする請求項３ないしは５いずれか１項に記載のコンクリート壁成形型枠構造体。
【００２０】
（７）請求項７に係る発明
間隔保持材の両端には、締付金具が取り付けてあることを特徴とする請求項３ないしは５いずれか１項に記載のコンクリート壁成形型枠構造体。
【００２１】
（８）請求項８に係る発明
上記コンクリート壁成形型枠構造体により形成された壁体内中間断熱層を有する内外打放し仕上コンクリート壁構造体。
【発明の効果】
【００２２】
以上のように構成された本発明は、以下に述べるように、上記課題を解決することができる。
本発明の独創性は、特に、一回のコンクリート打設で断熱材内蔵する内外打放しのＲＣ構造を形成できる「中間断熱及び連結機能複合板」と「RC内外打放し・壁体内断熱工法」にある。図１は、RC造壁の部分断面を示すものである。まず、本発明が考えるRC壁の構成は3層からなる。それらを便宜上、屋外側のRC外装壁（A）、中間断熱及び連結機能複合板（B）、屋内側のRC構造壁（C）と呼ぶ。ここでAは、BやCを保護する役割を果たし、具体的には耐火性、耐熱性、耐水性、耐傷性、耐候性、コンクリートそのものの美観性を有する。
【００２３】
従来のRC打放し壁の構成はCのみであった。しかし、本発明では、Ｂ部に断熱材を導入し、それをAで保護する方法をとる。Bを発案することにより、本発明の新工法で施工されるコンクリート壁は、それ自体が断熱性能を有していながら、内外ともに打ち放しとすることが可能になるのである。
【００２４】
さらに、本発明は、コンクリート打設工事の際にAとCの双方に同時にコンクリートを打設注入できるため、一回の打設で断熱材を内蔵する内外打放しのRC壁をつくることができ 、これによりスピーディな工事が可能になるため工期短縮に貢献し、建設コストの低廉化にも寄与する。これを「RC内外打放し・壁体内断熱工法」と呼ぶ。
【発明を実施するための最良の形態】
【００２５】
以下に、本発明の実施形態（以下、単に本発明という）を、さらに、図面により説明する。
【実施例】
【００２６】
本発明による実施例を、以下に示す。但し、発明は、実施例に限定されるものではない。
【００２７】
（１）基本構成
図１中、１、２、３は厚12mmの型枠用ベニア。ここで例えば１は、強度さえ確認できればチップ材を圧縮形成した廉価なリサイクル材でもよい。５は外装壁のシングル配筋、６は構造壁のダブル配筋、４は断熱材（具体的には発砲ポリスチレン板:厚30ｍｍ相当）、８および９は間隔保持材（セパレータ）、そして１０は締付金具（フォームタイ）、７は間隔保持材８と９を繋ぐための連結材である。以上の構成により、コンクリート壁用の成形型枠構造体を構成する。
【００２８】
（２）中間断熱・連結機能複合板
図１中の５、１、４を一体化した複合板である。連結材７をセット金具として含む。連結材７は、両端にネジを切った高足ナット状の金具で、セパレータ８を図中左側からねじ込ませて１を固定すると同時に、セパレータ９を図中右側からねじ込ませて２を固定する役割を担う。中間断熱・連結機能複合板は、施工現場で準備しても良いが、望ましくは、予め、一体化した複合版を、そのまま、用いることが望ましい。
【００２９】
（３）連結材
なお、連結材９は、例えば、概ね全長は70mm程度で断熱材側にφ30mm程度の円盤が溶接あるいは一体形成されており、引っ張り時に安定度を図れるものとする。なお、フォームタイ１０、セパレータ８，９は、既製品を用いることができる。
【００３０】
以上のコンクリート壁用の成形型枠構造体を用いて、型枠工事後、ＡおよびＣに同時にコンクリートを注入すれば、断熱層を内蔵するRC造内外打放し壁が一度の打設工事で実現可能となるのである。
【産業上の利用可能性】
【００３１】
以上説明したように、本発明は、様々な施工現場において実施可能であり、汎用性があり、内外壁を同時に形成できるので、施工コストの低減、迅速な施工ができる。
【図面の簡単な説明】
【００３２】
【図１】本発明のコンクリート壁成形型枠構造体（縦断面図）
【符号の説明】
【００３３】
１・・・第１の型枠
２・・・第２の型枠
３・・・第３の型枠
４・・・断熱材
５・・・外壁配筋（シングル配筋）
６・・・構造壁配筋（ダブル配筋）
７・・・連結部材
８・・・第１の間隔保持材
９・・・第２の間隔保持材
１０・・・締付金具
【図１】
2008291583.tif 000003